(57)【要約】【課題】同時進行で複数系列のコンテンツを閲覧すると共に、類似するコンテンツを直感的に理解できるコンテンツ表示プログラム等を提供することを目的とする。【解決手段】操作オブジェクトは、複数の第１のコンテンツが第１の回転軸の周囲に連続する主オブジェクトと、複数の第２のコンテンツが第２の回転軸の周囲に連続する従オブジェクトとを有する。ディスプレイに対するポインタの位置に応じて、主オブジェクトを回転させる第１のステップと、従オブジェクトにおける複数の第２のコンテンツの中から、主オブジェクトにおける所定注目位置の第１のコンテンツに対して所定関連条件を有する関連コンテンツを導出する第２のステップと、第１のコンテンツの所定注目位置に対して第２のコンテンツの関連コンテンツの位置が隣接するように、従オブジェクトを移動及び／又は回転させる第３のステップとを有する。【選択図】図２
2013206332.tif 000002
【特許請求の範囲】
【請求項１】
操作オブジェクトを画面に表示するディスプレイを備える装置に搭載されたコンピュータに実行させるコンテンツ表示プログラムにおいて、
前記操作オブジェクトは、複数の第１のコンテンツが第１の回転軸の周囲に連続する主オブジェクトと、複数の第２のコンテンツが第２の回転軸の周囲に連続する従オブジェクトとを有し、
ディスプレイに対するポインタの位置に応じて、前記主オブジェクトを回転させる第１のステップと、
前記従オブジェクトにおける複数の第２のコンテンツの中から、前記主オブジェクトにおける所定注目位置の第１のコンテンツに対して所定関連条件を有する関連コンテンツを導出する第２のステップと、
第１のコンテンツの前記所定注目位置に対して第２のコンテンツの関連コンテンツの位置が隣接するように、前記従オブジェクトを移動及び／又は回転させる第３のステップと
をコンピュータに実行させることを特徴とするコンテンツ表示プログラム。
【請求項２】
第１のステップについて、第１の回転軸に対して第２の回転軸は、異なる方向を有するようにコンピュータに実行させることを特徴とする請求項１に記載のコンテンツ表示プログラム。
【請求項３】
第１のステップについて、第１の回転軸に対して第２の回転軸は、略垂直の角度を有するようにコンピュータに実行させることを特徴とする請求項２に記載のコンテンツ表示プログラム。
【請求項４】
前記主オブジェクト及び前記従オブジェクトは、回転対称体であって、
第１のコンテンツは、コンテンツの表示位置範囲の中点を通る法線が第１の回転軸に対して略垂直であるように連続しており、
第２のコンテンツは、コンテンツの表示位置範囲の中点を通る法線が第２の回転軸に対して略平行であるように連続している
ようにコンピュータに実行させることを特徴とする請求項１から３のいずれか１項に
記載のコンテンツ表示プログラム。
【請求項５】
第２のステップにおける前記所定関連条件とは、第１のコンテンツ及び第２のコンテンツについて、コンテンツ類似度（画像／タグ）が最も高い、撮影時刻が最も近い、及び／又は、位置が最も近いことに基づくものであるようにコンピュータに実行させることを特徴とする請求項１から４のいずれか１項に記載のコンテンツ表示プログラム。
【請求項６】
前記主オブジェクトの各コンテンツに、過去に関連付けられた従オブジェクトのコンテンツの識別子が付与されており、
第２のステップは、主オブジェクトのコンテンツに付与された過去のコンテンツの識別子と一致しない第２のコンテンツ（及び異なる従オブジェクト）の中から、関連コンテンツを導出する
ようにコンピュータに実行させることを特徴とする請求項５に記載のコンテンツ表示プログラム。
【請求項７】
ディスプレイに対するポインタの所定操作によって、前記従オブジェクトを主オブジェクトとし、前記主オブジェクトを従オブジェクトとするように、互いを入れ替えるようにコンピュータに実行させることを特徴とする請求項１から６のいずれか１項に記載のコンテンツ表示プログラム。
【請求項８】
前記主オブジェクトが、その位置及び回転軸を前記従オブジェクトの位置及び回転軸へ向けて、時間経過に応じて、画面から見て前記従オブジェクトの前方を通って遷移すると同時に、
前記従オブジェクトが、その位置及び回転軸を前記主オブジェクトの位置及び回転軸へ向けて、時間経過に応じて、画面から見て前記主オブジェクトの後方を通って遷移する
ことによって互いに入れ替わるようにコンピュータに実行させることを特徴とする請求項７に記載のコンテンツ表示プログラム。
【請求項９】
複数の前記主オブジェクト及び従オブジェクトは、ディスプレイの画面中における表示状態又は非表示状態とに区分されており、
ディスプレイに対するポインタの所定操作によって、前記表示状態の前記主オブジェクトを、画面外へ移動させると共に、前記表示状態の前記従オブジェクトが、画面外へ移動し、
前記主オブジェクトが画面外へ移動すると共に、他の主オブジェクトが、画面内へ移動し、画面中に表示される表示状態となると同時に、他の従オブジェクトが、画面内へ移動を開始し、画面中に表示される表示状態となる
ようにコンピュータに実行させることを特徴とする請求項１から８のいずれか１項に記載のコンテンツ表示プログラム。
【請求項１０】
第２のステップについて、前記主オブジェクトの所定注目位置の第１のコンテンツに対して、前記従オブジェクトの全ての第２のコンテンツにおける、コンテンツ類似度が所定閾値以下である、撮影時刻が所定時間間隔以上である、又は、位置が所定距離以上である場合、当該従オブジェクトを前記主オブジェクトから離隔させて、画面中に表示されない非表示状態とし、
逆に、前記主オブジェクトの所定注目位置の第１のコンテンツに対して、前記従オブジェクトの全ての第２のコンテンツにおける、コンテンツ類似度が所定閾値よりも高い、撮影時刻が所定時間間隔以内である、又は、位置が所定距離以内である非表示状態の他の従オブジェクトを表示状態とし、当該従オブジェクトを前記主オブジェクトに接近させるように配置する
ようにコンピュータに実行させることを特徴とする請求項９に記載のコンテンツ表示プログラム。
【請求項１１】
ディスプレイに対するポインタの所定操作によって、前記従オブジェクトの回転軸の位置を固定し、当該従オブジェクトの画面中の表示状態を固定的に維持するようにコンピュータに実行させることを特徴とする請求項１から１０のいずれか１項に記載のコンテンツ表示プログラム。
【請求項１２】
操作オブジェクトを画面に表示するディスプレイを備えるコンテンツ表示装置において、
前記操作オブジェクトは、複数の第１のコンテンツが第１の回転軸の周囲に連続する主オブジェクトと、複数の第２のコンテンツが第２の回転軸の周囲に連続する従オブジェクトとを有し、
ディスプレイに対するポインタの位置の移動に応じて、前記主オブジェクトを回転させる主オブジェクト回転手段と、
前記従オブジェクトにおける複数の第２のコンテンツの中から、前記主オブジェクトにおける所定注目位置の第１のコンテンツに所定条件で関連する関連コンテンツを、関連コンテンツとして導出する関連コンテンツ導出手段と、
第１のコンテンツの前記所定注目位置に対して第２のコンテンツの関連コンテンツの位置が隣接するように、前記従オブジェクトを移動及び／又は回転させる従オブジェクト移動回転手段と
を有することを特徴とするコンテンツ表示装置。
【請求項１３】
操作オブジェクトを画面に表示するディスプレイを備える装置におけるコンテンツ表示方法において、
前記操作オブジェクトは、複数の第１のコンテンツが第１の回転軸の周囲に連続する主オブジェクトと、複数の第２のコンテンツが第２の回転軸の周囲に連続する従オブジェクトとを有し、
ディスプレイに対するポインタの位置の移動に応じて、前記主オブジェクトを回転させる第１のステップと、
前記従オブジェクトにおける複数の第２のコンテンツの中から、前記主オブジェクトにおける所定注目位置の第１のコンテンツに所定条件で関連する関連コンテンツを、関連コンテンツとして導出する第２のステップと、
第１のコンテンツの前記所定注目位置に対して第２のコンテンツの関連コンテンツの位置が隣接するように、前記従オブジェクトを移動及び／又は回転させる第３のステップと
を有することを特徴とするコンテンツ表示方法。
【発明の詳細な説明】
【技術分野】
【０００１】
本発明は、複数のコンテンツを１つの画面に表示する技術に関する。
【背景技術】
【０００２】
従来、例えば、デジタルカメラ、スマートフォン及びカメラ機能付き携帯電話機のような電子機器によって、大量のデジタル写真画像が撮影されている。これらのデジタル写真画像を、視認範囲の限られる表示画面上に表示するサムネイル表示の技術がある。サムネイル（thumbnail）表示とは、一定の大きさに縮小した矩形の画像を並べて表示する技術をいう。サムネイル表示を閲覧することにより、効率よく大量の画像の内容を確認することができ、視認スピードの向上を図ることができる。
【０００３】
サムネイル表示の技術として、Ｇｏｏｇｌｅ Ｐｉｃａｓａ（登録商標）が提供する「タイムライン表示」がある（例えば非特許文献１参照）。このタイムライン表示は、奥行のある円の上に、画像フォルダを並べたサムネイル表示である。円を回すことによって、着目している画像フォルダよりも、作成日時が新しい画像フォルダ及び作成日時が古い画像フォルダを、直感的操作で選択きる。選択した画像フォルダをクリックすることによって、そのフォルダ内の複数の画像を順番に表示させるスライドショーが開始される。
【０００４】
また、仮想三次元空間を想定した写真閲覧の技術がある（例えば特許文献１参照）。ここでは、半球の断面の中心を観測者の視点とする仮想三次元空間を想定する。仮想三次元空間は、観測者の視点を中心として、円の半径方向に時間軸を、円周方向に方位軸を有する。写真の撮像日時及び撮像位置に基づき、仮想三次元空間上の写真描画位置を特定し、視点からの写真描画位置までの距離に比例した大きさで写真を表示させる。
【０００５】
情報管理装置に記憶された画像ファイルに対して、表示画面上で操作をすることにより、簡易に目的の画像を検索する技術がある（例えば特許文献２参照）。この技術によれば、画像ファイルに対応するサムネイルファイルを表示画面上に表示して、サムネイルファイルに対する操作を介して画像ファイルを検索する。各サムネイルファイルの画像は、互いに一部を重ね合わせて、立体的に表示される。このとき、注目しているサムネイルファイルが画面手前に表にされる。立体的表示によって、より多くのサムネイルファイルを表示画面上に表示できることから、所望するサムネイルファイルに対応する画像ファイルを迅速に検索することができる。
【０００６】
更に、携帯機器のような小型の機器によって、大量の画像の中から目的の画像を検索する際に、操作性を向上させる技術がある（例えば特許文献３参照）。この技術によれば、小型のボタン、キー又はタッチパネルを備えた小型機器の表示画面に、複数グループの画像に対応するアイコンを表示し、指先の操作によってアイコンを直感的に操作することで、目的の画像を迅速に検索することができる。このとき、注目グループのアイコンは、画面手前に表示される。
【０００７】
更に、Ｆａｃｅｂｏｏｋ（登録商標）、ｍｉｘｉ（登録商標）、ＧＲＥＥ（登録商標）といったＳＮＳ(Social Networking Service)には、写真投稿及び閲覧機能があり、各個人の写真を単純なサムネイル又はスライドショーで閲覧することができる。また、他人が投稿した写真を見ることもできる。投稿者は、写真の説明情報を写真毎に付与することができ、また、投稿された写真に他人がコメントを付与することもできる。
【０００８】
更に、検索画像の画像特徴量に類似する、コンテンツの画像特徴量を検索し、当該検索画像と、検索結果のコンテンツとを、タイムライン表示する技術もある（例えば特許文献４参照）。
【先行技術文献】
【特許文献】
【０００９】
【特許文献１】特開２０１１−１８６５６５号公報
【特許文献２】特開２０００−１０５７７２号公報
【特許文献３】特開２００９−１２９１４２号公報
【特許文献４】特開２０１１−２２３３２７号公報
【非特許文献】
【００１０】
【非特許文献１】Ｐｉｃａｓａ３．９、[online]、［平成２４年３月５日検索］、インターネット＜URL:http://www.geocities.jp/ogino2600x/photo/free85-1.jpg＞
【非特許文献２】Shintaro Funasawa, Hiromi Ishizaki, Keiichiro Hoashi, YasuhiroTakishima, Jiro Katto, “Automated Music SlideshowGeneration Using Web Images based on Lyrics”, ISMIR 2010(International Society for Music Information Retrieval Conference)
【発明の概要】
【発明が解決しようとする課題】
【００１１】
特許文献１に記載された技術によれば、Ｘ軸、Ｙ軸及びＺ軸に、各写真の意味を対応させている。しかしながら、実際の画像表示では、方位がある範囲に収まる画像を直線状に配置している。そのため、例えば時間については直線上に配置されているに過ぎない。また、特許文献１から３及び非特許文献１に記載された技術によれば、注目している写真と関連する写真を発見し、閲覧することまではできない。更に、特許文献４に記載された技術によれば、検索画像に類似するコンテンツがタイムラインに表示されているが、グループ化されたコンテンツ群同士を比較するようなものではない。一方で、近年普及しているＳＮＳのように、ユーザ毎にコンテンツ群が閲覧されるような場合がある。
【００１２】
ここで、発明者らは、第１のコンテンツ群及び第２のコンテンツ群を表示すると共に、特定の第１のコンテンツに関連する第２のコンテンツを紐づけて閲覧させることが好ましいと考えた。
【００１３】
そこで、本発明は、同時進行で複数系列のコンテンツを閲覧すると共に、系列間で類似するコンテンツを直感的に理解することができるコンテンツ表示プログラム、装置及び方法を提供することを目的とする。
【課題を解決するための手段】
【００１４】
本発明によれば、操作オブジェクトを画面に表示するディスプレイを備える装置に搭載されたコンピュータに実行させるコンテンツ表示プログラムにおいて、
操作オブジェクトは、複数の第１のコンテンツが第１の回転軸の周囲に連続する主オブジェクトと、複数の第２のコンテンツが第２の回転軸の周囲に連続する従オブジェクトとを有し、
ディスプレイに対するポインタの位置に応じて、主オブジェクトを回転させる第１のステップと、
従オブジェクトにおける複数の第２のコンテンツの中から、主オブジェクトにおける所定注目位置の第１のコンテンツに対して所定関連条件を有する関連コンテンツを導出する第２のステップと、
第１のコンテンツの所定注目位置に対して第２のコンテンツの関連コンテンツの位置が隣接するように、従オブジェクトを移動及び／又は回転させる第３のステップと
をコンピュータに実行させることを特徴とする。
【００１５】
本発明のコンテンツ表示プログラムにおける他の実施形態によれば、第１のステップについて、第１の回転軸に対して第２の回転軸は、異なる方向を有するようにコンピュータに実行させることも好ましい。
【００１６】
本発明のコンテンツ表示プログラムにおける他の実施形態によれば、第１のステップについて、第１の回転軸に対して第２の回転軸は、略垂直の角度を有するようにコンピュータに実行させることも好ましい。
【００１７】
本発明のコンテンツ表示プログラムにおける他の実施形態によれば、
主オブジェクト及び従オブジェクトは、回転対称体であって、
第１のコンテンツは、コンテンツの表示位置範囲の中点を通る法線が第１の回転軸に対して略垂直であるように連続しており、
第２のコンテンツは、コンテンツの表示位置範囲の中点を通る法線が第２の回転軸に対して略平行であるように連続している
ようにコンピュータに実行させることも好ましい。
【００１８】
本発明のコンテンツ表示プログラムにおける他の実施形態によれば、
第２のステップにおける所定関連条件とは、第１のコンテンツ及び第２のコンテンツについて、コンテンツ（画像／タグ）類似度が最も高い、撮影時刻が最も近い、及び／又は、位置が最も近いことに基づくものであるようにコンピュータに実行させることも好ましい。
【００１９】
本発明のコンテンツ表示プログラムにおける他の実施形態によれば、
主オブジェクトの各コンテンツに、過去に関連付けられた従オブジェクトのコンテンツの識別子が付与されており、
第２のステップは、主オブジェクトのコンテンツに付与された過去のコンテンツの識別子と一致しない第２のコンテンツ（及び異なる従オブジェクト）の中から、関連コンテンツを導出する
ようにコンピュータに実行させることも好ましい。
【００２０】
本発明のコンテンツ表示プログラムにおける他の実施形態によれば、ディスプレイに対するポインタの所定操作によって、従オブジェクトを主オブジェクトとし、主オブジェクトを従オブジェクトとするように、互いを入れ替えるようにコンピュータに実行させることも好ましい。
【００２１】
本発明のコンテンツ表示プログラムにおける他の実施形態によれば、
主オブジェクトが、その位置及び回転軸を従オブジェクトの位置及び回転軸へ向けて、時間経過に応じて、画面から見て従オブジェクトの前方を通って遷移すると同時に、
従オブジェクトが、その位置及び回転軸を主オブジェクトの位置及び回転軸へ向けて、時間経過に応じて、画面から見て主オブジェクトの後方を通って遷移する
ことによって互いに入れ替わるようにコンピュータに実行させることも好ましい。
【００２２】
本発明のコンテンツ表示プログラムにおける他の実施形態によれば、
複数の主オブジェクト及び従オブジェクトは、ディスプレイの画面中における表示状態又は非表示状態とに区分されており、
ディスプレイに対するポインタの所定操作によって、表示状態の主オブジェクトを、画面外へ移動させると共に、表示状態の従オブジェクトが、画面外へ移動し、
主オブジェクトが画面外へ移動すると共に、他の主オブジェクトが、画面内へ移動し、画面中に表示される表示状態となると同時に、他の従オブジェクトが、画面内へ移動を開始し、画面中に表示される表示状態となる
ようにコンピュータに実行させることも好ましい。
【００２３】
本発明のコンテンツ表示プログラムにおける他の実施形態によれば、
第２のステップについて、主オブジェクトの所定注目位置の第１のコンテンツに対して、従オブジェクトの全ての第２のコンテンツにおける、コンテンツ類似度が所定閾値以下である、撮影時刻が所定時間間隔以上である、又は、位置が所定距離以上である場合、当該従オブジェクトを主オブジェクトから離隔させて、画面中に表示されない非表示状態とし、
逆に、主オブジェクトの所定注目位置の第１のコンテンツに対して、従オブジェクトの全ての第２のコンテンツにおける、コンテンツ類似度が所定閾値よりも高い、撮影時刻が所定時間間隔以内である、又は、位置が所定距離以内である非表示状態の他の従オブジェクトを表示状態とし、当該従オブジェクトを主オブジェクトに接近させるように配置する
ようにコンピュータに実行させることも好ましい。
【００２４】
本発明のコンテンツ表示プログラムにおける他の実施形態によれば、ディスプレイに対するポインタの所定操作によって、従オブジェクトの回転軸の位置を固定し、当該従オブジェクトの画面中の表示状態を固定的に維持するようにコンピュータに実行させることも好ましい。
【００２５】
本発明によれば、操作オブジェクトを画面に表示するディスプレイを備えるコンテンツ表示装置において、
操作オブジェクトは、複数の第１のコンテンツが第１の回転軸の周囲に連続する主オブジェクトと、複数の第２のコンテンツが第２の回転軸の周囲に連続する従オブジェクトとを有し、
ディスプレイに対するポインタの位置の移動に応じて、主オブジェクトを回転させる主オブジェクト回転手段と、
従オブジェクトにおける複数の第２のコンテンツの中から、主オブジェクトにおける所定注目位置の第１のコンテンツに所定条件で関連する関連コンテンツを、関連コンテンツとして導出する関連コンテンツ導出手段と、
第１のコンテンツの所定注目位置に対して第２のコンテンツの関連コンテンツの位置が隣接するように、従オブジェクトを移動及び／又は回転させる従オブジェクト移動回転手段と
を有することを特徴とする。
【００２６】
本発明によれば、操作オブジェクトを画面に表示するディスプレイを備える装置におけるコンテンツ表示方法において、
操作オブジェクトは、複数の第１のコンテンツが第１の回転軸の周囲に連続する主オブジェクトと、複数の第２のコンテンツが第２の回転軸の周囲に連続する従オブジェクトとを有し、
ディスプレイに対するポインタの位置の移動に応じて、主オブジェクトを回転させる第１のステップと、
従オブジェクトにおける複数の第２のコンテンツの中から、主オブジェクトにおける所定注目位置の第１のコンテンツに所定条件で関連する関連コンテンツを、関連コンテンツとして導出する第２のステップと、
第１のコンテンツの所定注目位置に対して第２のコンテンツの関連コンテンツの位置が隣接するように、従オブジェクトを移動及び／又は回転させる第３のステップと
を有することを特徴とする。
【発明の効果】
【００２７】
本発明のコンテンツ表示プログラム、装置及び方法によれば、同時進行で複数系列のコンテンツを閲覧すると共に、系列間で類似するコンテンツを直感的に理解することができる。
【図面の簡単な説明】
【００２８】
【図１】本発明における主オブジェクト及び従オブジェクトに関する説明図である。
【図２】本発明における主オブジェクト及び従オブジェクトの基本動作に関する説明図である。
【図３】ユーザの操作におけるリンクマークの変化を表す説明図である。
【図４】本発明における従オブジェクトの移動を表す説明図である。
【図５】本発明におけるコンテンツ表示装置の機能構成図及びコンテンツ表示プログラムのフロー図である。
【図６】本発明における主オブジェクト及び従オブジェクトの回転軸の説明図である。
【図７】本発明における関連画像導出に関する第１の説明図である。
【図８】本発明における関連画像導出に関する第２の説明図である。
【図９】本発明における主オブジェクトと従オブジェクトとの入れ替えを表す説明図である。
【図１０】本発明における従オブジェクトの表示状態及び非表示状態を表す説明図である。
【図１１】本発明における主オブジェクトの入れ替えを表す説明図である。
【発明を実施するための形態】
【００２９】
以下、本発明の実施の形態について、図面を用いて詳細に説明する。
【００３０】
図１は、本発明における主オブジェクト及び従オブジェクトに関する説明図である。
【００３１】
図１によれば、ディスプレイには、操作オブジェクトとして、主オブジェクト１１と、従オブジェクト１２ａ及び従オブジェクト１２ｂが表示されている。これらオブジェクトは、仮想三次元空間に存在する立体である。主オブジェクト１１には、複数の第１のコンテンツの群を並べ、従オブジェクト１２ａ及び従オブジェクト１２ｂも、それぞれ複数の第２のコンテンツの群を並べる。ここで、コンテンツとは、動画像であってもよいし、静止画像であってもよい。静止画像としては、写真画像、文字画像又はこれらの組み合わせを含むものであってもよい。
【００３２】
また、各オブジェクトに並べられたコンテンツの方向は、垂直方向、水平方向又は放射方向のいずれであってもよい。例えば、図１における従オブジェクト１２ａのコンテンツは、回転軸を考慮して放射方向に並べられており、従オブジェクト１２ｂのコンテンツは、ユーザの見やすさを考慮して、水平方向（コンテンツの辺とディスプレイの辺とが平行となる）に並べられている。
【００３３】
更に、従オブジェクト１２ｂに並べられたコンテンツは、注目すべきコンテンツから離れるほど、コンテンツ同士の間隔が短くなっている。これによって、ユーザに対して注目させるべきコンテンツが目立つと共に、それから離れるコンテンツは目立たなくなる。
【００３４】
複数のコンテンツを並べた各オブジェクトは、属性として「種別」を有する。種別とは、例えば「ユーザ本人」、「友人」又は「他人」のように「ユーザ毎」であってもよい。コンテンツが写真画像である場合、その撮影者を意味するものであってもよい。また、ユーザに限られず、「花」、「空」又は「緑」のようにコンテンツが表す「テーマ毎」であってもよい。
【００３５】
各オブジェクトの複数のコンテンツは、「系列」に従って、連続して並べられるものであってもよい。系列には、例えば「撮影日時順」、「撮影位置毎」、「アップロードされた順」又は「写真中の支配的な色を色相環に並べた順」がある。支配的な色（ドミナントカラー（dominant color）とは、配色全体の印象を支配する色のことをいう。支配的な色は、写真のカラ―ヒストグラムを作成し、ヒストグラム曲線の各最大値に対応する色を導出することによって得られる。尚、無彩色は色相環の特定の場所に配置してもよい。
【００３６】
主オブジェクトについて、種別「ユーザ本人」及び系列「撮影日時順」と指定した場合、主オブジェクト１１には、ユーザ本人が撮影した写真画像が、撮影日時順に並べて表示される。また、各従オブジェクトについても、種別「ＳＮＳ上の知人」及び系列「撮影日時順」と指定することもできる。
【００３７】
従オブジェクトの種別を直感的に理解しやすくするために、種別を表すイラストが、「種別マーク」として、オブジェクトの中心に描画されることも好ましい。図１によれば、。従オブジェクトの中心部分に、ＳＮＳ上の知人におけるプロフィール画像が描画されている。図１によれば、主オブジェクトの種別を「ユーザ本人」、従オブジェクトの種別を「知人」とし、数人が一緒に旅行した時の写真画像が表示されている。
【００３８】
図２は、本発明における主オブジェクト及び従オブジェクトの基本動作に関する説明図である。
【００３９】
図２によれば、ディスプレイには、操作オブジェクトとして、主オブジェクト１１と、従オブジェクト１２ａ、従オブジェクト１２ｂ及び従オブジェクト１２ｃとが表示されている。主オブジェクト１１は、第１の回転軸１１１を有し、回転軸を中心として回転する。主オブジェクト１１の第１の回転軸の周囲には、複数の第１のコンテンツが連続して並べられている。また、従オブジェクト１２ａも、第２の回転軸１２ａ１を有し、回転軸を中心として回転する。従オブジェクト１２ａの第２の回転軸の周囲にも、複数の第２のコンテンツが連続して並べられている。従オブジェクト１２ｂ及び従オブジェクト１２ｃについても、従オブジェクト１２ａと同様である。図２（ａ）->図２（ｂ）によれば、主オブジェクト１１に対するユーザの操作に応じて、複数の従オブジェクト１２も回転することが表されている。
【００４０】
主オブジェクト１１の第１の注目位置にあるコンテンツに対して、所定関連条件を有する従オブジェクト１２ｃの関連コンテンツが、最も近い位置に表示される。
主オブジェクト１１の第２の注目位置にあるコンテンツに対して、所定関連条件を有する従オブジェクト１２ａの関連コンテンツが、最も近い位置に表示される。
主オブジェクト１１の第３の注目位置にあるコンテンツに対して、所定関連条件を有する従オブジェクト１２ｂの関連コンテンツが、最も近い位置に表示される。
ここで、所定関連条件を「撮影時刻の近さ」とした場合、撮影時刻の近いコンテンツ同士が最も近い位置に表示されるように、主オブジェクトの回転と同時に、従オブジェクトも回転する。
【００４１】
また、図２によれば、主オブジェトの注目位置のコンテンツと、従オブジェクトの関連コンテンツとが、所定関連条件を有することを意味するリンクマークが表示されている。
従オブジェクト１２ｃの「花」のコンテンツは、主オブジェクト１１の第１の注目位置の「花」のコンテンツに対して最も近くに配置され、リンクマークによって結ばれている。
従オブジェクト１２ａの「飛行機」のコンテンツは、主オブジェクト１１の第２の注目位置の「飛行機」のコンテンツに対して最も近くに配置され、リンクマークによって結ばれている。
従オブジェクト１２ｂの「蕎麦」のコンテンツは、主オブジェクト１１の第３の注目位置の「蕎麦店」のコンテンツに対して最も近くに配置され、リンクマークによって結ばれている。
【００４２】
図２によれば、主オブジェクトの１つの注目位置のコンテンツ（第１のコンテンツ）に対して、１つの従オブジェクトの１つの関連コンテンツ（第２のコンテンツ）が結びつけられている。これに対し、複数の従オブジェクトにおける複数の関連コンテンツが結びつけられていてもよい。この場合、表示画面としては、主オブジェクトの両側に従オブジェクトが配置されることが好ましい。これによって、主オブジェクトの１つの注目位置の第１のコンテンツに対して、最大２つの従オブジェクトの関連コンテンツを結びつけることができる。
【００４３】
尚、図１及及び図２によれば、２個及び３個の従オブジェクトが表示されているが、勿論、従オブジェクトは、４個以上表示されるものであってもよい。従オブジェクトの個数に応じて、各従オブジェクトは、主オブジェクトの注目位置の第１のコンテンツに対して、最も近くに表示されるように配置される。勿論、従オブジェクト同士が重畳し、一方の従オブジェクトが他方の従オブジェクトよりも、手前に表示されるものであってもよい。このとき、従オブジェクトに予め優先度が付与されたものであることも好ましい。この場合、優先度が高い従オブジェクトが手前に表示される。また、重畳する部分については、手前の従コンテンツを透過させて、裏手の従コンテンツが見えるようにしたものであってもよい。
【００４４】
図３は、ユーザの操作におけるリンクマークの変化を表す説明図である。
【００４５】
図３によれば、ユーザの操作によって、リンクマークが伸びて、オブジェクト同士を結んでいる。従オブジェクトの関連コンテンツを、主オブジェクトの注目位置の第１のコンテンツの最も近くに表示できない場合、できる限りリンクマークで結ぶ。その場合であっても、従オブジェクトの関連コンテンツは、可能な限り、主オブジェクトの第１のコンテンツの近くに配置することが好ましい。
【００４６】
また、主オブジェクトを回転させている間は、リンクマークが消え、従オブジェクトは停止していてもよい。主オブジェクトの回転速度が所定以下になったときに、従オブジェクトは少ない動きで済む方向に回転を開始するものであってもよい。関連コンテンツが、所定注目位置にある第１のコンテンツと隣接する位置に移動した際に、リンクマークを表示する。
【００４７】
尚、本発明によれば、主オブジェクトの１つの注目位置のコンテンツに対し、従オブジェクトの１つの第２のコンテンツを関連付けることを基本としている。これに対し、主オブジェクトの１つのコンテンツに対し、従オブジェクトの複数のコンテンツを関連させてもよい。この場合、複数のリンクマークが表示されることとなる。但し、リンクマーク同士が交差しないように、当該リンクマークの長さ及び配置を制限することが好ましい。
【００４８】
従オブジェクトも、所定操作によって回転させることができるが、この場合には、主オブジェクトが連動して回転するとは限らない。同様に、その他の従オブジェクトが連動して移動及び／又は回転するとも限らない。従オブジェクトを操作して回転させた後、一定時間操作されない場合、その従オブジェクトは、回転して元の位置に戻るものであってもよい。これにより、従オブジェクトの系列を簡易に閲覧することができる。
【００４９】
主オブジェクト及び従オブジェクトの立体は、回転対称体であってもよい。回転対称体は、ｎを２以上の整数としたときに、軸の周りを（３６０／ｎ）度回転させると自らと重なる性質を有する立体をいう。回転対称体は、筒形状であっても、球状であっても、いわゆる「ドーナツ型」であるトーラス形状であっても、円柱であっても、多面体であってもよい。
【００５０】
図４は、本発明における従オブジェクトの移動を表す説明図である。
【００５１】
図４によれば、従オブジェクト１２は、図２のように回転軸を中心として回転するだけでなく、回転軸とは異なる方向を通る面上を平行移動する。図４（ａ）は、前述した図２（ａ）と同じ状態である。次の図４（ｂ）によれば、主オブジェクト１１に対するユーザの操作に応じて、従オブジェクト１２ａ及び１２ｂが、ディスプレイの外へ向かって平行移動している。
【００５２】
ここで、従オブジェクト１２は、ディスプレイに対するポインタの所定操作によって、回転軸の位置が固定されるものであってもよい。図４によれば、従オブジェクト１２ｃは、回転軸の位置が固定されており、移動はせず、回転するのみとなっている。回転軸の位置の固定は、ピンマーク１２２によってディスプレイに表示されるものであってもよい。
【００５３】
ここで、回転軸の固定／可動の操作は、従オブジェクト１２に対するユーザのクリックによって、ピンマーク１２２の「有効」／「無効」を切り替えるものであってもよい。例えば、ピンマーク１２２の「有効」の場合、塗りつぶしで表示され、回転軸の位置を固定する。また、ピンマーク１２２の「無効」の場合、塗りつぶし無しで表示され、回転軸の位置を可動とする。
【００５４】
図４によれば、従オブジェクト１２ａ及び１２ｂは、ピンマーク１２２が無効となっており、回転及び平行移動もする。一方で、従オブジェクト１２ｃは、ピンマーク１２２が有効となっており、移動することなく、回転のみする。
【００５５】
他の実施形態として、複数の従オブジェクトにピンマーク１２２が表示されているとき、１つの従オブジェクトのピンマーク１２２を「有効」にすると、他の従オブジェクトのピンマーク１２２も連動して「有効」になるものであってもよい。「有効」になっているピンマーク１２２を「無効」に切り替えるには、それぞれのピンマーク１２２をクリックすることによって、個別に操作することができる。
【００５６】
また、他の実施形態として、ピンマーク１２２が「有効」となっている従オブジェクト１２は、主オブジェクト１１に合わせて回転する場合に、関連コンテンツがない場合、回転せずに停止したままとなるものであってもよい。
【００５７】
結果的に、ピンマーク１２２が有効になっている従オブジェクトと、無効になっている従オブジェクトとが混在する場合、ピンマーク１２２が無効になっている従オブジェクトのみが平行移動する。平行移動によって従オブジェクト同士が重なる場合には、ピンマーク１２２が無効になっている従オブジェクトが、有効になっている従オブジェクトの背面を通って移動するものとする。このときに、ピンマーク１２２が有効になっている従オブジェクトのコンテンツの色を明るくして彩度を下げることで、重なった時に区別がつくようにしてもよい。
【００５８】
図５は、本発明におけるコンテンツ表示装置の機能構成図及びコンテンツ表示プログラムのフロー図である。
【００５９】
図５によれば、コンテンツ表示装置１は、入出力インタフェース部１００と、主オブジェクト回転部１０１と、関連コンテンツ導出部１０２と、従オブジェクト移動回転部１０３とを有する。入出力インタフェース部１００を除くこれら機能部は、装置に搭載されたコンピュータを機能させるプログラムを実行することによって、実現できる。プログラムの処理の流れは、Ｓ２１からＳ２３のシーケンスによっても示される。このシーケンスは、コンテンツ表示方法としても実行できる。
【００６０】
入出力インタフェース部１００は、例えばタッチパネルディスプレイであって、ポインタの位置は、指の接触位置によって示されるものである。また、指の接触を感知しない一般的なディスプレイであってもよく、この場合、マウスのようなポインティングデバイスによってポインタによって示される。
【００６１】
主オブジェクト回転部１０１は、入出力インタフェース１００（ディスプレイ）に対するポインタの位置の移動を入力し、これに応じて、主オブジェクト１１を回転させる。入力操作は、主オブジェクト１１に対するドラッグ操作又はそれに類する操作である。
【００６２】
主オブジェクト１１の回転軸の周囲に連続している第１のコンテンツには、１つ以上の所定注目位置がある。主オブジェクト１１の回転によって、ディスプレイに表示されている所定注目位置にある第１のコンテンツが変更される。新たに所定注目位置に移動した第１のコンテンツは、関連コンテンツ導出部１０２へ出力される。
【００６３】
関連コンテンツ導出部１０２は、所定注目位置にある第１のコンテンツを入力する。そして、関連コンテンツ導出部１０２は、従オブジェクト１２における複数の第２のコンテンツの中から、主オブジェクト１１における所定注目位置にある第１のコンテンツに対して所定関連条件を有する第２のコンテンツを、関連コンテンツとして導出する。関連コンテンツは、従オブジェクト移動回転部１０３へ出力される。
【００６４】
従オブジェクト移動回転部１０３は、関連コンテンツを入力する。そして、従オブジェクト移動回転部１０３は、第１のコンテンツの所定注目位置に対して第２のコンテンツの関連コンテンツの位置が隣接するように、従オブジェクト１２を移動及び／又は回転させる（前述した図２及び図４参照）。
【００６５】
図６は、本発明における主オブジェクト及び従オブジェクトの回転軸の説明図である。
【００６６】
図６（ａ）及び（ｂ）によれば、主オブジェクト１１の第１の回転軸１１１に対して、従オブジェクト１２の第２の回転軸１２１は、異なる方向を有する。ここで、第１の回転軸に対して第２の回転軸は、略垂直の角度を有するものであってもよい。勿論、これに限られず、±４５度以上異なる角度に設定するものであってもよい。
【００６７】
主オブジェクト１１及び従オブジェクト１２の回転対称体は、図６（ａ）及び（ｂ）のように外周面上と軸垂直面を有する形状となる。複数の第１のコンテンツは、主オブジェクト１１の外周面上に連続している。また、複数の第２のコンテンツは、従オブジェクトの第２の回転軸１２１に対して垂直な面である軸垂直面上に連続している。
【００６８】
図６（ａ）によれば、第１のコンテンツの表示位置範囲の中点を通る法線と、回転軸１１１とは、略垂直の角度をなす。「法線」とは、曲面上の一点を通り、この点における接平面に垂直な直線をいう。図６（ａ）によれば、主オブジェクトの外周形状が、球状又はトーラス形状のように曲面からなる場合、コンテンツは曲面上に表示される。コンテンツの表示位置範囲の中点を通る法線は、この中点における接平面に対して垂直な直線となる。
【００６９】
図６（ｂ）によれば、第２のコンテンツの表示位置範囲の中点を通る法線と、回転軸１２１とは、略平行の角度をなす。従オブジェクトにおけるコンテンツの表面が曲面からなる場合であっても、コンテンツは法線に基づいて曲面上に表示される。
【００７０】
図７は、本発明における関連コンテンツを導出する第１の説明図である。
【００７１】
図７によれば、従オブジェクト１２ｃにおける複数の第２のコンテンツの中から、主オブジェクト１１における所定注目位置の第１のコンテンツに対して所定関連条件を有する第２のコンテンツを、関連コンテンツとして導出する。
【００７２】
ここで、「所定関連条件」は、「コンテンツ類似度」が最も高いものであってもよい。「コンテンツ類似度」について、例えばコンテンツが「画像」であるとき、カラーレイアウト記述子に基づいて算出されるものであってもよい。対象コンテンツは、ＲＧＢ(Red Green Blue)又はＹＵＶ（輝度信号(Y)，輝度信号と青色成分の差(U)，輝度信号と赤色成分の差(V)）のような色空間に変換される。変換されたコンテンツは、それぞれ６４（８×８）の小ブロックに分割され、８×８のサムネイルアイコンが生成される。このサムネイルアイコンに対して、二次元離散コサイン変換（ＤＣＴ(Discrete Cosine Transform)）が施され、各色成分の変換係数が求められる。変換係数はジグザグスキャンにより一次元配列化され、そこから少数の低周波係数を取り出した上で、係数を量子化する。これによって、カラーレイアウト記述子が自動生成される。そして、算出されたカラーレイアウト記述子同士の距離に基づいて、コンテンツ類似度が算出される。
【００７３】
また、「コンテンツ類似度」について、例えばコンテンツに予め付与されたタグや文章を用いるものであってもよい。コンテンツに文章が付与されている場合、予め形態素解析によって単語を導出しておき、タグとして用いることもできる。ここで、コンテンツに付与されたタグ同士を比較し、同一タグがあれば類似度が高いと判定される。また、同一タグが複数存在するほど、コンテンツ同士の類似度が高くなる。ここで、タグ間の類義語や共起確率も考慮することも好ましい。また、重要度の低いタグの重みを低くすることもできる。更に、コンテンツに付与された文章同士の場合、ベクトル空間法による文書類似度の算出を用いることもできる。また、例えば、歌詞のような文章と、タグのような単語との間でも、類似度を導出することができる（例えば非特許文献２参照）。この場合、主オブジェクトに歌詞を表示し、従オブジェクトに写真を表示することもできる。絵日記や写真付きブログ（主オブジェクト）に対して、関連コンテンツ（従オブジェクト）を導出する場合、画像コンテンツの上に文字コンテンツが重畳されていてもよい。尚、関連コンテンツの導出は、画像類似度及びタグ類似度を組み合わせてもよい。例えば、同じタグや類似のタグ、共起確率の高いタグを持つコンテンツを絞りこみ、そのコンテンツの中から類似画像を計算してもよい。
【００７４】
注目位置の第１のコンテンツに対して、コンテンツ類似度が最も高い第２のコンテンツｃが関連コンテンツとして導出される。従オブジェクト１２ａは、注目位置の第１のコンテンツに対して、第２のコンテンツｃが隣接するように移動及び／又は回転する。
【００７５】
また、「所定関連条件」は、「撮影位置」の近さとしてもよい。コンテンツ取得時に、あわせてＧＰＳ(Global Positioning System)情報を取得し、所定注目位置の第１のコンテンツに対して撮影位置が最も近い第２のコンテンツを、関連コンテンツとして導出するものであってもよい。
【００７６】
図８は、本発明における関連コンテンツを導出する第２の説明図である。
【００７７】
図８によれば、従オブジェクト１２ｂにおける複数の第２のコンテンツの中から、主オブジェクト１１における所定注目位置の第１のコンテンツに対して所定関連条件を有する第２のコンテンツを、関連コンテンツとして導出する。ここで、「所定関連条件」とは、「撮影時刻」が最も近いことであるとする。
【００７８】
図８によれば、注目位置の第１のコンテンツの撮影時刻は、「３月３日１５：００」である。そのために、「３月３日１５：１０」を撮影時刻とする第２の画像ｂが、関連コンテンツとして導出される。従オブジェクト１２ｂは、注目位置の第１のコンテンツに対して、第２のコンテンツｂが隣接するように移動及び／又は回転する。
【００７９】
ここで、所定関連条件を「日時」の近さとして、数年前の同じ時期の「日」呼び「時」を含むものとしてもよい。
【００８０】
また、「所定関連条件」は、複数条件の組み合わせであってもよい。例えば、前述した「コンテンツ類似度（画像／タグ）」、「撮影位置の近さ」及び「撮影時刻の近さ」を組み合わせたものであってもよい。また、所定関連条件を有するコンテンツは複数導出されてもよいが、その場合には、予め優先順位を決定しておく。
【００８１】
更に、関連性が低いコンテンツが導出されることを防ぐために、閾値を設けることも好ましい。これによって、閾値以下のコンテンツは導出しないようにすることができる。
【００８２】
他の実施形態として、主オブジェクトの各コンテンツに、過去に関連付けられた従オブジェクトのコンテンツの識別子を付与することも好ましい。その上で、関連コンテンツを導出する際に、主オブジェクトのコンテンツに付与された過去のコンテンツの識別子と一致しない関連コンテンツ（及び異なる種別及び系列の関連コンテンツ）を導出するようにする。即ち、主オブジェクトのコンテンツに対して、常に同一の関連コンテンツが導出されないようにする。これによって、異なる種別及び系列の従オブジェクトが、可能な限り、閲覧対象として表示される。
【００８３】
図９は、本発明における主オブジェクトと従オブジェクトとの入れ替えを表す説明図である。
【００８４】
ディスプレイに対するポインタの所定操作によって、従オブジェクト１２を主オブジェクトとし、主オブジェクト１１を従オブジェクトとするように、互いを入れ替えることができる。
【００８５】
図９（ａ）によれば、ディスプレイに対するポインタの所定操作によって、従オブジェクト１２は、入れ替えの指示を受ける。所定操作は、例えば従オブジェクトに対するクリック（タップ）、ダブルクリック、フリック又はドラッグであってもよい。
【００８６】
図９（ｂ）〜（ｄ）は、主オブジェクト１１と従オブジェクト１２との入れ替えの状態を表す。主オブジェクト１１は、その位置及び回転軸を、従オブジェクト１２の位置及び回転軸へ向けて、時間経過に応じて、画面から見て従オブジェクト１２の前方を通って遷移する。これと同時に、従オブジェクト１２は、その位置及び回転軸を、主オブジェクト１１の位置及び回転軸へ向けて、時間経過に応じて、画面から見て主オブジェクト１１の後方を通って遷移する。
【００８７】
図９のように、従オブジェクトが主オブジェクトの右側にある場合は、従オブジェクトは画面に対して９０度回転し、主オブジェクトは画面に対して−９０度回転する。これに対して、従オブジェクトが主オブジェクトの左側にある場合は、回転方向は逆となる。
【００８８】
主オブジェクト１１と従オブジェクト１２との入れ替えに伴い、従オブジェクトでは軸垂直面に連続していたコンテンツ（図９（ａ））は、主オブジェクトでは外周面上連続する（図９（ｄ））ようになる。このとき、コンテンツは、軸垂直面から徐々に外周面上に移動してもよいし、主オブジェクト１１と従オブジェクト１２との入れ替え中は、軸垂直面と外周面上とに同じコンテンツが表示されていてもよい。
【００８９】
図１０は、本発明における従オブジェクトの表示状態及び非表示状態を表す説明図である。
【００９０】
図１０によれば、従オブジェクトは複数あって、ディスプレイの画面中に表示状態になっているものと、非表示状態になっているものとがある。ここでは、従オブジェクト１２ａ及び従オブジェクト１２ｃが、ディスプレイの画面中に表示されている。
【００９１】
一方、従オブジェクト１２ｂは、ディスプレイの画面中に表示されていない。これは、従オブジェクト１２ｂの全ての第２のコンテンツは、主オブジェクト１１の所定注目位置の第１のコンテンツに対して、コンテンツ類似度が所定閾値以下であるか、撮影時刻が所定時間間隔以上となっているためである。そこで、従オブジェクト１２ｂは、主オブジェクト１１から離隔し、画面中に表示されない非表示状態となっている。
【００９２】
従オブジェクト１２ｂの第２のコンテンツの中に、主オブジェクト１１の所定注目位置の第１のコンテンツに対して、コンテンツ類似度が所定閾値よりも高いか、撮影時刻が所定時間間隔以内となっているものがあれば、従オブジェクト１２ｂは、主オブジェクト１１に接近させるように配置され、表示状態となる。
【００９３】
尚、１つの回転体に並べる画像の枚数が多くなったとき、円周を長くして全画像を配置してもよいし、一定枚数しか表示しないようにしてもよい。また、図１０のように、回転体の一部を、画面の外に出して見えないようにし、そこには画面に表示されていない系列の全画像が重なりを許容して並べられていると仮定してもよい。これらは、回転操作などで画面内に入ってくる際に、重なりがない様に回転体上に並び直され、画面から出て行く際に、重なりを許容して回転体上に並び直すと考えればよい。
【００９４】
図１１は、本発明における主オブジェクトの入れ替えを表す説明図である。
【００９５】
例えば、様々なイベントのリストや写真フォルダ、日付毎のフォルダリストがあり、１つのイベントを選び、その中の複数日数の中から１日を選び、それを主オブジェクトとして閲覧を開始したとする。その日１日のオブジェクトを閲覧し終わり、次の日の写真を閲覧したくなった場合、ディスプレイに対するポインタの所定操作によって、主オブジェクト１１を他の主オブジェクトと入れ替えることができる。例えば、次の日の写真系列が並べられた他のオブジェクトを閲覧することができる。
【００９６】
複数存在するオブジェクトは、ディスプレイの画面中における表示状態又は非表示状態とに区分されている。ここで、従オブジェクトについては、同時に複数のオブジェクトが表示状態となっていてもよく、また、全てのオブジェクトが非表示となっていてもよい。これに対して、主オブジェクトについては、常に１つのオブジェクトが表示状態となっている。
【００９７】
図１１（ａ）によれば、ディスプレイに対するポインタの所定操作によって、主オブジェクト１１は、入れ替えの指示を受ける。所定操作は、例えば主オブジェクトの所定箇所をダブルクリック、クリック又は長押しによって入れ替えるモードに切り替え、主オブジェクトを画面外の方向に向けてドラッグ、スクロール又はフリックするものであってもよい。
【００９８】
図１１（ｂ）及び（ｃ）は、主オブジェクト１１と他の主オブジェクトとの入れ替えの状態を示す。操作を受けた表示状態の主オブジェクト１１は、画面外へ移動し、画面中に表示されない非表示状態となる。このとき、主オブジェクト１１は、転がるようにして画面外へ移動してもよい。同時に、非表示状態の他の主オブジェクトが、画面内へ移動し、画面中に表示される表示状態となる。このとき、他の主オブジェクトは転がるようにして画面内へ移動してもよい。
【００９９】
これに伴い、表示状態の従オブジェクト１２も、画面外へ移動し、画面中に表示されない非表示状態となる。他の主オブジェクトが、画面内へ移動してくると、この主オブジェクトの第１のコンテンツと所定関連条件を有する第２のコンテンツを含む新たな従オブジェクトが、画面内へ移動し、画面中に表示される表示状態となる。
【０１００】
例えば、旅行に関するコンテンツが大量にある場合、一日分のコンテンツを１つの主オブジェクトによって表示するものとする。ここで７日間の旅行であれば、７つの主オブジェクトができる。このような場合に、主オブジェクトを交換することにより、全てのコンテンツを表示させることができる。
【０１０１】
例えば、ＳＮＳの場合、複数のコンテンツの集合であるアルバムと呼ばれる単位毎に、１つの主オブジェクトを作成してもよい。
【０１０２】
尚、従オブジェクトが固定されている場合は、その従オブジェクトは移動しなくてもよい。また、他に主オブジェクトがないために入れ替えることができない場合は、その旨が通知され、主オブジェクトを移動させることができなくてもよい。従オブジェクトが固定されていることを視覚的に分かりやすくするために、ピンマーク（図４（１２２））を用いて、円の回転軸近辺にピンを差しているように表示することも好ましい。また、固定オブジェクトと非固定オブジェクトが重なる場合には、固定オブジェクトは関連コンテンツが動的に変更されるので、固定オブジェクトは前面に配置し、非固定オブジェクトを背面に配置することも好ましい。
【０１０３】
以上、詳細に説明したように、本発明のコンテンツ表示プログラム、装置及び方法によれば、コンテンツの系列を保って配置させた複数のオブジェクトを用いることによって、注目しているコンテンツ系列中のどのコンテンツを閲覧しているのかを見失うことなく、同時進行で複数系列のコンテンツを閲覧することができる。
【０１０４】
また、本発明によれば、関連するコンテンツ同士が近くに表示されるため、関連コンテンツを発見及び閲覧しやすく、また、その関連コンテンツが、注目しているコンテンツ系列中のどの部分に位置するのかを直感的に理解することができる。
【０１０５】
更に、従来からあるコンテンツのスクロールだけでなく、オブジェクトに入れ替えによって、注目しているコンテンツ系列を入れ替えることもできる。このようなユーザの様々な操作に対して、物理的に連続した納得感のある動きを実現することができる。
【０１０６】
尚、非特許文献１に記載された技術によれば、画像の回転方向は、円を通る平面に垂直で円の中心を通る回転軸を中心とする方向のみである。また、複数の回転体が同一画面上に存在することはなく、画像が平行移動することもなく、視認画面の変化に乏しい。また、特許文献２、３及び４に記載された技術によれば、複数のグループ写真を同一画面に表示し、注目するグループを画面手前に表示することで立体的な表示となってはいるが、並べ方は直線状であり、変化に乏しい。これに対して、本発明によれば、オブジェクトを移動及び／又は回転をさせ、回転軸も随時変化させることによって、視認画面に変化がある。また、オブジェクトを回転させることにより、丸味がある滑らかな動きを実現できる。
【０１０７】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【０１０８】
１  コンテンツ表示装置
１００  入出力インタフェース部
１０１  主オブジェクト回転部
１０２  関連画像導出部
１０３  従オブジェクト移動回転部
１１  主オブジェクト
１１１  第１の回転軸
１２  従オブジェクト
１２１  第２の回転軸
１２２  ピンマーク
【図１】
2013206332.tif 000003
【図２】
2013206332.tif 000004
【図３】
2013206332.tif 000005
【図４】
2013206332.tif 000006
【図５】
2013206332.tif 000007
【図６】
2013206332.tif 000008
【図７】
2013206332.tif 000009
【図８】
2013206332.tif 000010
【図９】
2013206332.tif 000011
【図１０】
2013206332.tif 000012
【図１１】
2013206332.tif 000013